(57)【特許請求の範囲】
【請求項１】
光通信システムであって、
複数の光信号をそれぞれ異なる関連する波長で光伝送路を介して受信機へ送信するよう構成された送信機と、
前記伝送路に沿って配置され、前記光信号の各々を増幅する複数の光増幅器とを含み、前記光増幅器の各々は、少なくとも１つの調節可能なポンプパラメータと関連付けられた少なくとも１つのポンプを含み、前記光通信システムはさらに、
前記受信機に備えられ、前記伝送路と光学的に結合された伝送路平均強度検出器を含み、前記伝送路平均強度検出器は、前記複数の信号の各々について、前記送信機から前記受信機への前記光伝送路上での平均強度を検出するよう構成されており、前記光通信システムはさらに、
前記検出器と結合されたポンプパラメータ制御器を含み、前記制御器は、前記光信号の各々について前記送信機から前記受信機への前記光伝送路上での希望される平均強度を達成するために、前記平均強度に応じて前記複数の増幅器の各々の少なくとも１つの前記ポンプパラメータを動的に調節するよう構成されている、光通信システム。
【請求項２】
前記少なくとも１つの光増幅器がハイブリッドラマン／ＥＤＦＡ増幅器を含む、請求項１に記載のシステム
【請求項３】
前記少なくとも１つの調節可能なポンプパラメータがポンプパワーを含む、請求項１に記載のシステム。
【請求項４】
前記少なくとも１つの増幅器の動作状態を表す伝送路監視信号を提供する伝送路監視装置をさらに含み、前記ポンプパラメータ制御器が、さらに、前記伝送路監視信号に応答して前記少なくとも１つのポンプパラメータを調節するよう構成される、請求項１に記載のシステム。
【請求項５】
前記ポンプ制御器が、前記平均強度に応じて前記複数の増幅器の各々の前記少なくとも１つのポンプパラメータを調節するよう構成される、請求項１に記載のシステム。
【請求項６】
前記伝送路平均強度検出器が、前記複数の信号について前記平均強度の変化を検出するよう構成されており、そして、前記ポンプパラメータ制御器が、前記希望される平均強度を達成するために、前記変化に応じて前記少なくとも１つの増幅器の前記少なくとも１つのポンプパラメータを動的に調節するよう構成される、請求項１に記載のシステム。
【請求項７】
光伝送路上を介して送信機から受信機へ送信される光信号を増幅するよう構成された複数の光増幅器についてのポンプパラメータを制御する、前記光通信システム内に配置された光増幅器ポンプ管理システムであって、前記光信号のそれぞれは異なる関連する波長にあり、前記システムが、
送信された前記光信号の各々について、前記送信機から前記受信機への前記光伝送路上での平均強度を検出するよう構成された、前記受信機に備えられた伝送路平均強度検出器と、
前記検出器に結合されたポンプパラメータ制御器とを含み、前記制御器は、前記送信された光信号の各々について前記送信機から前記受信機への前記光伝送路上での希望される平均強度を達成するために、前記平均強度に応じて前記複数の増幅器の各々の少なくとも１つの前記ポンプパラメータを動的に調節するよう構成されている、システム。
【請求項８】
前記少なくとも１つの光増幅器がハイブリッドラマン／ＥＤＦＡ増幅器を含む、請求項７に記載のシステム。
【請求項９】
前記少なくとも１つのポンプパラメータがポンプパワーを含む、請求項７に記載のシステム。
【請求項１０】
前記少なくとも１つの増幅器の動作状態を表す伝送路監視信号を提供する伝送路監視装置をさらに含み、前記ポンプパラメータ制御器が、さらに、前記伝送路監視信号に応答して前記少なくとも１つのポンプパラメータを調節するよう構成されている、請求項７に記載のシステム。
【請求項１１】
前記ポンプ制御器が、前記平均強度に応じて前記複数の増幅器の各々の前記少なくとも１つのポンプパラメータを調節するよう構成される、請求項７に記載のシステム。
【請求項１２】
前記伝送路平均強度検出器が、前記平均強度の変化を検出するよう構成されており、そして、前記ポンプパラメータ制御器が、前記希望される平均強度を達成するために、前記変化に応じて前記少なくとも１つの増幅器の前記少なくとも１つのポンプパラメータを動的に調節するよう構成される、請求項７に記載のシステム。
【請求項１３】
複数の光増幅器を含む光伝送路にわたって送信機から受信機へ送信される波長の範囲内の波長の各々について、前記光伝送路上の平均強度を制御する方法であって、
前記光伝送路上での前記平均強度の変化を検出する伝送路平均強度検出器を前記受信機に提供する工程と、
前記光伝送路にわたって前記送信機から前記受信機へ送信される前記波長の範囲内の前記波長の各々について前記光伝送路上での希望される平均強度を達成するために、前記平均強度の前記変化に応じて、前記複数の光増幅器の各々の少なくとも１つの光増幅器ポンプパラメータを調節する制御器を提供する工程とを含む方法。
【請求項１４】
前記少なくとも１つの光増幅器が、前記複数の増幅器のうちの最初の１つであり、前記方法はさらに、
前記増幅器のうち少なくとも２番目の増幅器の故障を検出する監視装置を提供する工程を含み、前記制御器が、前記故障に応じて前記少なくとも１つの光増幅器ポンプパラメータを調節するよう構成される、請求項１３に記載の方法。
【請求項１５】
前記制御器が、前記変化に応じて前記複数の増幅器の各々についての少なくとも１つの光増幅器ポンプパラメータを調節するよう構成される、請求項１３に記載の方法。
【発明の詳細な説明】
【０００１】
【発明の属する技術分野】
本発明は、一般には光通信システムに関し、特に、光増幅器のポンプを制御するためのシステムおよび方法に関する。
【０００２】
【従来の技術】
光通信ネットワーク、特に600km以上の長さの長距離ネットワークは、散乱、吸収、および曲げを含む様々な要因による信号減衰を必然的に被る。損失を補償するため、一般的に、光伝送路に沿って一定の間隔で、例えば50kmごとに、光増幅器が設置される。
【０００３】
光増幅器はエルビウム添加ファイバ増幅器(EDFA)のような希土類添加ファイバ増幅器、ラマン増幅器、およびハイブリッドラマン／EDFA増幅器を含む。EDFAは、光信号をエルビウム添加ファイバ部に通し、レーザのような他の光源からの光によりそのエルビウム添加ファイバ部を“励起する”ことによって動作する。ポンプソース(励起光源)はエルビウム添加部においてエルビウム原子を励起し、その添加部は通過する光信号を増幅するように働く。
【０００４】
対照的に、ラマン増幅はより分布的であり、光伝送ファイバが適切な1つの波長あるいは複数の波長で励起される場合に、光伝送ファイバの至る所で生じる。各ラマン増幅器は1つあるいは複数のポンプを含んでよい。利得は、誘導ラマン散乱の過程を通じ、ポンプ波長より長い波長のスペクトルにわたって得られる。ラマン増幅器のポンプ波長と、より長い波長における、関連づけられる増幅波長スペクトルのピークとの差は、“ストークスシフト”と呼ばれる。典型的なシリカファイバに対するストークスシフトはおよそ13THzである。
【０００５】
一般に、ハイブリッドラマン／EDFA増幅器はEDFAとラマン増幅器の特性を兼ね備えている。例えば、980nmで励起されるEDFAは、約1525nmから約1565nmまでの波長の従来のCバンドにおいて適切な増幅を提供することができる。このEDFAを、より長波長、例えば1495nmで励起されるラマン増幅器と組み合わせることにより、約1525nmから1605nmまでの、広く連続する80nmの波長範囲にわたって利得を与える、効果的なハイブリッドラマン／EDFA増幅器が得られる。この範囲は、Cバンド(約1525nmから約1565nmまで)とLバンド(約1565nmから約1605nmまで)の両方を包含する。
【０００６】
このような光増幅器は、光通信システム、特に波長分割多重された(WDM)、あるいは高密度波長分割多重された(DWDM)信号を利用する長距離ネットワークにおけるコンポーネントである。このようなWDMおよびDWDMシステムは、波長範囲にわたって、複数の情報チャネル、例えば256個のチャネルを伝送する。
【０００７】
【発明が解決しようとする課題】
光増幅器および光通信システムの他のコンポーネントが適切に機能している場合、伝送される波長の範囲にわたる信号パワースペクトルの、受信機において測定されるような計画値からの変化は、たとえあったとしても、ごくわずかである。上記の計画どおりのパワースペクトルは、理想的には、伝送される波長の範囲にわたって等しいかあるいは一貫して平坦であるべきである伝送路平均強度(Path Average Intensity, PAI)に相当する。光増幅器のポンプパワーの低下あるいは不足を含む多くの問題は、PAIおよびそれに関連する、受信機において測定されるような信号対雑音電力比(SNR)の好ましくない変動につながり得る。PAIおよびSNRにおけるこのような変動は、信号検出やシステムの信頼性に否定的に影響を及ぼし、システム性能のペナルティにつながる。
【０００８】
従って、PAIにおけるそのような変動を検出でき、光増幅器のポンプパラメータを調節することによりSNRへの影響を最小限にとどめつつPAIの回復を行えるようなシステムおよび方法が必要である。
【０００９】
【課題を解決するための手段】
本発明に従う光通信システムは、複数の光信号を送信するために構成される送信機と、光信号を増幅するための複数の光増幅器とを含む。各増幅器は、少なくとも1つの調節可能なポンプパラメータと関連づけられる少なくとも1つのポンプを含む。伝送路平均強度検出器は、信号に対する伝送路平均強度を検出するために構成される。希望される伝送路平均強度を達成するために、検出された伝送路平均強度に応じて、ポンプパラメータ制御器は少なくとも1つの増幅器についての少なくとも1つのポンプパラメータを動的に調節する。
【００１０】
本発明に従う複数の光増幅器を含む光通信システムにおいて一連の送信される波長に対する伝送路平均強度を制御する方法は、伝送路平均強度における変動を検出するための検出器を提供する工程と、希望される伝送路平均強度を達成するために、上記の変動に応じて少なくとも1つの前記光増幅器についての少なくとも1つの光増幅器ポンプパラメータを調節するための制御器を提供する工程とを含む。
【００１１】
【発明の実施の形態】
図1を参照すると、本発明に従う典型的な光通信システム100が示されている。当業者は、システム100が、説明を簡単にするために非常に簡略化されたポイント間システムとして描かれていることがわかるであろう。本発明は、本発明の精神および範囲を逸脱しない非常に多様な光ネットワーク、システム、および光増幅器に組み込むことができることを理解されたい。
【００１２】
光通信システム100は、光情報チャネル104を介して接続される送信機102および受信機106を含む。送信機においては、データは光情報チャネル104を介した伝送のため、複数の波長へと変調されてもよい。システムの特性および要求に依存して、光情報チャネル104は、光ファイバ導波路、光増幅器108-1、108-2、108-3、．．．108-n、光フィルタ、分散補償モジュール、およびその他の能動および受動コンポーネントを含む。これらの要素の各々に対する様々な構成は、当業者に知られているところであろう。
【００１３】
説明を明快にするために、光情報チャネル内には、光増幅器108-1、108-2、108-3、．．．108-nのみが描かれている。これらの光増幅器は、ラマン増幅器、希土類添加ファイバ増幅器例えばEDFA、およびハイブリッドラマン／EDFAであってもよいし、それらのうちいずれかであってもよい。各光増幅器は、増幅器の種類、増幅されるべき波長範囲、システムおよび信頼性の要求、および当業者に知られているその他の要素に依存する、1つあるいは複数のポンプを含むことができる。このように、システム内のポンプソースの総数は、システム内の光増幅器の総数より多いか、あるいは等しくなりうる。光増幅器は、システムの特性および要求に依存して、ある程度の距離(例えば、50ｋｍ)をおいて一定の間隔で配置される。
【００１４】
都合のよいことに、PAIのどんな変動の場合にも信号品質を改善するために、光増幅器108-1、108-2、108-3、．．．108-nは本発明に従うポンプ管理システムによってコントロールすることができる。図示された典型的な実施形態において、ポンプ管理システムは、伝送される波長範囲にわたってPAIを検出するために受信機106において提供されるPAI検出器110を含む。PAIの変化は、情報チャネル内の1つあるいは複数の増幅器の完全なあるいは部分的な故障に起因するので、増幅器の動作状態に関する状態情報を生成するために伝送路監視装置(LME)114が提供されてもよい。
【００１５】
検出器110によって検出されたPAIおよび、任意的に、LME114によって提供される増幅器状態情報に応じて、ポンプパラメータ制御器112は、以下でより詳細に説明するような手法で、希望されるPAIを達成するために1つあるいは複数の個々の増幅器のポンプパラメータを動的に調節するため、出力信号を供給してもよい。例えば、LME114によって示されるように、PAIの変動が増幅器の故障と関連づけられる場合、制御器による調節のために選択されるポンプソースは、故障したポンプに従う増幅器と関連づけることができる。しかしながら、故障したポンプの前のポンプに対する調節を始めることもまた可能である。
【００１６】
当業者は、PAIデータあるいはPAIの変動を検出する様々な方法を認識しているだろう。例えば、検出器110は、光パワーモニタおよび／あるいは既知の伝送パワーレベルに基づくPAIを示す表示を提供するために伝送波長の相対的なスペクトルパワー密度を感知するためのスペクトルアナライザを含むことができる。加えて、PAI検出器が受信機以外の要素、例えば光増幅器に提供されることもできることを理解すべきである。PAIの計画値からの変動は、受信機におけるSNRあるいは信号スペクトルの測定によっても検出できる。LMEについての様々な構成もまたよく知られている。例えば、高損失のループバックパスが増幅器の動作を監視するために提供されてもよいし、あるいは、コマンド制御監視チャネルが中継器のポンプの状態および／あるいはPAIの測定および／あるいはPAIの変動についての情報を端局装置にもたらすために使用されてもよい。
【００１７】
PAIの変動に応じてポンプパラメータを制御する様々な方法もまた、当業者に知られている。例えば、ポンプパラメータ制御器112は、検出されたPAIに応じて希望するPAIを達成するために個々のポンプに対するポンプ制御信号を提供するためのマイクロプロセッサとして構成されてもよい。希望されるPAI、例えば、伝送される波長範囲にわたって実質的に一定であるPAIは、検出されたPAIと関連づけられる信号に対する比較のための制御器に格納されてもよい。制御器112は、検出された信号が希望の値に最適化されるまで、選択されたポンプを繰り返し調節してもよいし、あるいは、ある特定の状況あるいは故障に対応する、予め格納された複数の調節手法のうち1つを用いてもよい。PAI検出器および予め格納されたポンプ調節手法のみを含む1つの解決策がありうる。調節のためのコマンドは、端局装置あるいは中継器自身のいずれかによって生成することができる。お互いに連絡を取り合い、希望されるポンプ調節を選択する“賢い”中継器もまた実装することができる。これは端局装置からのフィードバックがある場合にもない場合にも行うことができる。
【００１８】
一般的に、本発明に従うポンプ管理システムは、伝送される波長範囲にわたる、PAIに関連する信号を監視し、PAIの変動に応じて、定められたシステム制限にできるだけ近いところまで希望されるPAIを回復させるため、1つあるいは複数のポンプについてのパラメータを調節する。できることなら、PAIの回復は、システムのSNRへの効果を最小限にするために、効果を受ける波長に対して増加される利得を、システム内の複数の増幅器にわたって分配することにより達成されるのがよい。しかしながら、どのポンプパラメータを調節すべきか、およびそれらパラメータをどの程度調節すべきかといったことに関する選択は、システムの制限、例えば、システム内の増幅器の数および種類、増幅器に関連づけられるポンプの数、増幅器の動作状態などに依存する。例えば、少数の増幅器を備えたシステムにおいては、利用可能な増幅器の数にわたってPAIを実質的に回復させるために、ポンプパラメータは積極的に調節してもよい。また、ポンプパラメータの調節のレベルは、利用可能な調節範囲によって制限される。ポンプの調節は、故障の重大さおよびその故障の受信機への近さにも依存する。例えば、故障は1台の増幅器のみに含まれるかもしれないし、あるいは複数の増幅器に含まれるかもしれない。そのような複数の増幅器はお互いに近くに存在しているかもしれないし、あるいは遠く離れているかもしれない。その上、そのような1つあるいは複数の故障は、受信機に近いところで生じるかもしれないし、あるいは受信機から遠く離れたところで生じるかもしれない。
【００１９】
本発明の例示システムは、256チャネルのWDMシステムにおいて、総長7000kmのスパンにわたって50km間隔で一定に配置された140台の光増幅器を含む。この典型的なシステムは、約1527nmから1607nmまでのCバンドおよびLバンドの両方におよぶ広い波長範囲にわたって利得を与えるための複数のハイブリッドラマン／EDFA増幅器を含む。コマンド制御チャネルは、増幅器内のポンプの状態に関する情報を端局装置に提供するために使用される。同時に、コマンド制御チャネルは、端局装置から中継器へとポンプ制御コマンドを送信する。PAIおよびPAI変化量は受信機において監視してもよい。この典型的なシステムの構築および動作は説明目的のためだけに議論されるものであり、従って、本発明は、上記の典型的なシステムあるいはここで説明されている他のいかなる典型的な実施形態にも限定されるものではないことを理解されたい。
【００２０】
図2は、典型的な7000kmシステムにおいて使用されるハイブリッドラマン／EDFA増幅器200を示している。図示されたハイブリッドラマン／EDFA増幅器200は、ラマン部分202およびEDFA部分204を含んでいる。ラマン部分202は、光パス203を通って伝播する光信号を増幅するためにラマン利得が生成される、ファイバ伝送路部分206を含むことができる。ポンプソース208からのエネルギーは、カプラ210によってパス203のセグメント206に結合される。典型的なラマン部分では、誘導ラマン散乱の過程を通じて通常Lバンドに利得を生じさせるために、1495nmの波長において1つのポンプ208が描かれる。1つあるいは複数のラマンポンプソース208は、当業者に知られている非常に多様な構成において、光パス203にまた結合される。
【００２１】
ハイブリッドラマン／EDFA増幅器200のEDFA部分204は、EDFAポンプソース212、EDFAカプラ214、およびエルビウム添加ファイバ部分216を含むことができる。典型的なEDFAポンプソース212は、伝送される波長のCバンドにおいて一般に利得を生じさせるために、セグメント216を980nmで励起することができ、それによって、ラマン部分202によってLバンドにおいて一般に生じる利得を補う。ポンプソースは、ポンプパラメータの調節を可能にするため、様々な方法で、例えば光サービスチャネルを通じて、ポンプパラメータ制御器112に結合される。また、当業者は、非常に多様な結合構成において光パス203に結合される様々なEDFAポンプソースについて認識しているだろう。
【００２２】
本発明に従って光増幅器のポンプを制御するためのシステムおよび方法を説明するため、PAIの変動につながる故障状態をシミュレートした。シミュレートされた故障状態は、典型的な7000kmシステムにおける1番目のラマン／EDFA増幅器に対するラマンポンプパワーの50%減少、とした。各ラマン／EDFA増幅器は前述した1527nmから1607nmの範囲において利得を与えるように構成することができる。当業者には、多くの故障状態がPAIの変動につながりうることが分かるだろう。1番目のラマン／EDFA増幅器におけるポンプパワーの50%減衰というシミュレートされた故障状態は、約1580nmと1605nmの間の長波長側の範囲に対する、関連する利得の減少につながった。本発明に従うポンプ管理システムを使用しない場合、システムは、一連の連続する光増幅器を介してこの故障から次第に回復した。しかしながら、一連の10台の光増幅器を通過した後でさえ、前述の短波長および長波長の範囲における信号パワーには依然として減少が見られ、前述の範囲の真中においては、通常状態と比較して信号パワーの増加が見られた。従って、前述の全帯域幅にわたってシステムの性能を劣化させる、PAIおよびSNRへの関連する影響が観察された。
【００２３】
都合のよいことに、本発明に調和したシステムおよび方法は、SNRへの有害な影響を最小限にして、PAIを実質的に不変あるいは平坦なレベルに戻すために、ポンプパワーおよび／あるいはポンプ波長を含むポンプパラメータを調節することができる。図3を見ると、典型的な7000kmシステムにおける典型的な一連のラマン／EDFA増幅器は、本発明に従うシステムおよび方法の応用を説明するのに役立っている。1番目のラマン／EDFA増幅器302-1におけるラマンポンプパワーの50%減衰という故障状態がシミュレートされた。
【００２４】
約1580nmと1605nmの間の長波長側波長範囲にわたる利得の減衰を埋め合わせるため、複数のポンプの調節が行われる。詳細には、2番目のラマン／EDFA増幅器302-2のラマンポンプパワーが通常よりも10%高い値に調節された一方、増幅器302-2のEDFAポンプパワーは通常レベルに保たれた。同様に、3番目のラマン／EDFA増幅器302-3、4番目のラマン／EDFA増幅器302-4、および5番目のラマン／EDFA増幅器302-5のラマンポンプパワーが通常よりも10%高い値に増加された一方、これらの各増幅器に対するEDFAポンプパワーは通常レベルに保たれた。6番目のラマン／EDFA増幅器302-6のラマンポンプパワーは通常よりも10%高い値に増加され、同増幅器のエルビウムポンプパワーは通常よりも13%高い値に増加された。7番目のラマン／EDFA増幅器302-7のラマンポンプパワーは正規のパワーレベルに保たれ、同増幅器のエルビウムポンプパワーは通常よりも13%高い値に増加された。最後に、8番目のラマン／EDFA増幅器302-8のラマンポンプパワーは通常よりも12%低い値に減少され、同増幅器のエルビウムポンプパワーは通常よりも9%高い値に増加された。
【００２５】
図4は図3に示された一連の光増幅器(302-1．．．302-9)の一部に対する累積利得の典型的なプロットである。各プロットは異なるチャネルを表している。プロット402は、1527nmにおけるチャネルに、プロット404は1531nmに、プロット406は1547nmに、プロット408は1567nmに、プロット410は1587nmに、そして最後にプロット412は1607nmに相当する。図に示されているように、最初の3スパンにおいて減少する利得を有するチャネルはその後のスパンにおいて増加される利得によって補償されており、その逆もまた同様であった。例えば、プロット412において示されている1607nmにおけるチャネルは、図に示されているその他のチャネルと比較して、シミュレートされた故障状態(１番目のラマン／EDFA増幅器302-1に対するラマンポンプパワーの50%減衰)によって最も有害に影響を受けたチャネルであった。このチャネルに対する利得の減少は、最初の6台のラマン／EDFA増幅器における、通常よりも高いラマンポンプパワーにより修正された。7番目のラマン／EDFA増幅器302-7における正規のラマンポンプパワーレベルおよび8番目のラマン／EDFA増幅器302-8における減少されたラマンポンプパワーレベルは、システムのPAIを初期の目標値にするために実行された、上記の2台の増幅器よりも前に設置されたすべての増幅器から生じる過補償に対して向けられた。
【００２６】
上記の典型的なポンプパワー管理手法の結果を図5のPAIおよび図6のSNRに関して示される。まず、正規の動作状態のもとでは、典型的なプロット502によって示されているように、全伝送波長範囲にわたって、PAIは理想的には一定のレベルからの変動がほとんどない。正規の動作状態とは、PAIの変動につながるポンプソース故障あるいはポンプソースの劣化のような故障状態がないことを仮定している。プロット504は、1番目のラマン／EDFA増幅器に対するラマンポンプパワーにおける50%の減衰を仮定する典型的な7000kmシステムのためのポンプの管理手法がない場合に、受信機において計算したときのPAIを示している。プロット504は、1590nm以下においては正規のPAIよりも高い値をとり、1590nm以上においては正規のPAIよりも低い値をとるというように、PAIの実質的な変動を示している。このようなPAIの変動は、システムの不安定性およびシステム性能の劣化につながる。
【００２７】
対照的に、プロット506は、1番目の増幅器に対するラマンポンプパワーが同じ50%だけ減衰するが、図3および4に関して詳細に示されている典型的なポンプの管理手法を用いた場合のPAIを示している。図に示されているように、本発明に調和したポンプの管理手法を使用することにより、波長範囲にわたって殆ど平坦でありプロット502によって示される通常状態のPAIと実質的に同じであるPAIが得られる。このように、本発明に調和した、ポンプを制御するシステムおよび方法により、PAIの実質的な改善を成し遂げることができる。
【００２８】
そのうえ、SNRへの影響を最小限にすることも可能になる。図6における“正規の”SNRプロット602は、通常状態のもとでの典型的な7000kmシステムについて、伝送波長範囲にわたるSNRを示している。ここでも、通常状態とは、PAIの変動につながるポンプソース故障あるいはポンプソースの劣化のような故障状態がないことを仮定している。1番目のラマン／EDFA増幅器に対するラマンポンプパワーの50%減衰を仮定するSNRプロット604は、重大なSNRペナルティを示している。例えば、約1590nmよりも長波長側の波長範囲においては、SNRペナルティが1.5dBと高くなっている。対照的に、典型的なSNRプロット606は、図3および図4に関して詳細に述べられた典型的なポンプの管理手法の使用を通じて達成されたSNRの改善を示している。図から分かるように、前者の1.5dBのSNRペナルティを、わずか0.1dB程度に低減することができる。
【００２９】
本発明は、以上に例示した実施形態に限定されるものではない。本発明の精神および範囲から大きく逸脱しない限り、当業者にとって容易に明白な多くの他の実施形態が、考案可能であることは明らかである。
【図面の簡単な説明】
本発明をより理解するため、同じ数字が同じ部分を表す以下の図を参照して詳細な説明において本発明が説明される。
【図１】本発明に従う典型的な光通信システムのブロック図である。
【図２】典型的なハイブリッドラマン／EDFA増幅器のブロック図である。
【図３】典型的な7000km光通信システムに対する典型的なポンプの管理手法を説明する典型的な一連のハイブリッドラマン／EDFA増幅器の図である。
【図４】様々な波長における図3の一連の増幅器の一部に対する累積利得の典型的なプロットを示す図である。
【図５】本発明に従う光増幅器ポンプ制御のシステムおよび方法を利用するPAI改善を説明した、PAI対伝送波長の典型的なプロットを示す図である。
【図６】本発明に従う光増幅器ポンプ制御のシステムおよび方法を利用するSNR改善を説明した、SNR対伝送波長の典型的なプロットを示す図である。
【符号の説明】
100  光通信システム
102  送信機
104  光情報チャネル
106  受信機
108  光増幅器
110  PAI検出器
112  ポンプパラメータ制御器
114  伝送路監視装置
200  ハイブリッドラマン／EDFA増幅器
202  ラマン部分
203  光パス
204  EDFA部分
206  ファイバ伝送路部分
208  ポンプソース
210  カプラ
212  ポンプソース
214  EDFAカプラ
216  エルビウム添加ファイバ部分
302  ラマン／EDFA増幅器
【図１】
0004798939.tif 000002
【図２】
0004798939.tif 000003
【図３】
0004798939.tif 000004
【図４】
0004798939.tif 000005
【図５】
0004798939.tif 000006
【図６】
0004798939.tif 000007